(57)【要約】【課題】扉の開き角度の設定、変更が容易であるとともに、リンクの収納スペースを不要とし、取付作業及び部品配置を容易とする。【解決手段】扉２３のヒンジ部側端部の内側に円弧状の扉角度ガイド２４を上下方向に取り付け、この扉角度ガイド２４の周壁に水平方向の異なる角度位置で同一ピッチの異なる高さ位置に複数の角度孔２４ａ〜２４ｆを設けるとともに、盤本体２２の枠体２７に角度孔２４ａ〜２４ｆと同一ピッチで上下方向に複数のストッパ取付孔２７ａを設け、何れかのストッパ取付孔２７ａに取り付けたストッパ２５の爪部２５ｂを扉角度ガイド２４の角度孔２４ａ〜２４ｆの何れかに係合させる。【選択図】図１
2005354791.tif 000002
【特許請求の範囲】
【請求項１】
盤本体にヒンジ部を介して扉を回動自在に取り付けた盤において、扉のヒンジ部側端部の内側に上下方向に取り付けられるとともに、円弧状に形成され、周壁の水平方向の異なる角度位置で同一ピッチの異なる高さ位置に複数の角度孔が設けられた扉角度ガイドと、盤本体の枠体に角度孔と同一ピッチで上下方向に複数設けられたストッパ取付孔と、選択されたストッパ取付孔に着脱自在に取り付けられるとともに、ばね作用を有する爪部を有し、この爪部が扉角度ガイドの角度孔の何れかと係脱自在に係合するストッパとを備えたことを特徴とする盤の扉ストッパ構造。
【請求項２】
盤本体にヒンジ部を介して扉を回動自在に取り付けた盤において、扉のヒンジ部側端部の内側に上下方向に取り付けられるとともに、円弧状に形成され、周壁の水平方向の異なる角度位置で同一ピッチの異なる高さ位置に複数の角度孔が設けられた扉角度ガイドと、盤本体に取り付けられたヒンジ側部材に角度孔と同一ピッチで上下方向に複数設けられたストッパ取付孔と、選択されたストッパ取付孔に着脱自在に取り付けられるとともに、ばね作用を有する爪部を有し、この爪部が扉角度ガイドの角度孔の何れかと係脱自在に係合するストッパとを備えたことを特徴とする盤の扉ストッパ構造。
【発明の詳細な説明】
【技術分野】
【０００１】
この発明は、制御盤や配電盤等の盤の扉構造に関し、特に扉の最大開き角度を制限するとともに、扉の開き角度を一定の角度に保ち、かつ扉の開き角度の制限角度を変えることができるストッパ構造に関するものである。
【背景技術】
【０００２】
図４は従来の配電盤の扉ストッパ構造の斜視図を示し、１は盤本体、２は盤本体１にヒンジ３を介して回動自在に設けられた扉、４は盤本体１内の天井面に取り付けられた取付部、５も扉２の内面に取り付けられた取付部、６は一端が取付部４に回動自在に取り付けられたリンク、７は一端が取付部５に回動自在に取り付けられたリンクであり、リンク６，７の他端同士も回動自在に連結される。上記構成において、盤本体１、扉２、リンク６，７により四つ棒機構からなるストッパ構造が形成される。
【０００３】
図５（ａ）〜（ｃ）は他の従来の配電盤の扉ストッパ構造の平面図、そのＡ−Ａ線矢視図及び側面図を示し、８は盤本体、９は扉、１０は扉９の内面上部に溶接され、長孔１０ａが設けられたガイドである。１１は一端が長孔１０ａにスナップピン１２を介して摺動自在にかつ回動自在に連結されたストッパ腕、１３は盤本体８の天井面付近に雄ねじ１４及びナット１５により取り付けられた取付金具であり、ストッパ腕１１の他端は取付金具１３にスナップピン１６を介して回動自在に連結される。又、ガイド１０にはボルト１７，支え板１８、座１９及びナット２０を介してストッパ２１が取り付けられる。上記構成において、盤本体８、扉９及びストッパ腕１１により回転すべり子機構からなるストッパ構造が形成される。
【０００４】
その他、特許文献１に記載された配電盤の扉開き角度制限器も提案されている。
【特許文献１】特開２００４−１４０９０３号公報
【発明の開示】
【発明が解決しようとする課題】
【０００５】
図４に示した従来の配電盤の扉ストッパ構造においては、最大開き角度と可能制限角度が同じになっているため、ストッパを構成するリンク６，７が伸びきらないと、扉２を一定の開き角度に保つことができず、最大開き角度まで開く以前に障害物があると、ストッパとしての用を成さない。又、扉の最大開き角度を変えようとすると、盤本体１側及び扉２側の双方の固定位置を変える必要があり、２重設計が必要となる。さらに、扉２を閉めた状態でリンク６，７が折り畳んで収納されるため、この収納スペースが必要となる。又、盤本体１内に蛍光灯やドアスイッチを設けた場合、その付近を配線が通過するため、扉２を閉じる際に配線を挟み、断線する可能性が高い。さらに、取付部４を盤本体１の天井面に取り付けるため、天井面を必要とし、天井付近に取り付ける際に脚立等に登るため、作業が不安定となり、労働災害が起こり易い。
【０００６】
又、図５に示した配電盤の扉ストッパ構造においては、扉９を閉めた状態でストッパ腕１１が内部に収納されるため、収納スペースが必要となる。又、盤本体１内に蛍光灯やドアスイッチを設けた場合、その付近を配線が通過するため、扉９を閉じる際に配線を挟み、断線する可能性が高い。さらに、取付金具１３の取付に盤本体８の天井面を必要とし、天井付近に取り付ける際に脚立等に登るため、作業が不安定となり、労働災害が起こり易い。又、扉９側にストッパ腕１１のスライド用のガイド１０を取り付ける必要があるため、盤本体８の前面の取付部品との干渉を避ける必要がある。
【０００７】
又、特許文献１に示された配電盤の扉開き角度制限器においては、開き角度の変更が容易でなかった。
【０００８】
この発明は上記のような課題を解決するために成されたものであり、扉の開き角度の設定及び変更が容易であるとともに、リンクの収納スペースが不要であり、かつ取付作業が容易で部品配置も容易な盤の扉ストッパ構造を得ることを目的とする。
【課題を解決するための手段】
【０００９】
この発明の請求項１に係る盤の扉ストッパ構造は、盤本体にヒンジ部を介して扉を回動自在に取り付けた盤において、扉のヒンジ部側端部の内側に上下方向に取り付けられるとともに、円弧状に形成され、周壁の水平方向の異なる角度位置で同一ピッチの異なる高さ位置に複数の角度孔が設けられた扉角度ガイドと、盤本体の枠体に角度孔と同一ピッチで上下方向に複数設けられたストッパ取付孔と、選択されたストッパ取付孔に着脱自在に取り付けられるとともに、ばね作用を有する爪部を有し、この爪部が扉角度ガイドの角度孔の何れかと係脱自在に係合するストッパとを備えたものである。
【００１０】
この発明の請求項２に係る盤の扉ストッパ構造は、盤本体にヒンジ部を介して扉を回動自在に取り付けた盤において、扉のヒンジ部側端部の内側に上下方向に取り付けられるとともに、円弧状に形成され、周壁の水平方向の異なる角度位置で同一ピッチの異なる高さ位置に複数の角度孔が設けられた扉角度ガイドと、盤本体に取り付けられたヒンジ側部材に角度孔と同一ピッチで上下方向に複数設けられたストッパ取付孔と、選択されたストッパ取付孔に着脱自在に取り付けられるとともに、ばね作用を有する爪部を有し、この爪部が扉角度ガイドの角度孔の何れかと係脱自在に係合するストッパとを備えたものである。
【発明の効果】
【００１１】
以上のようにこの発明の請求項１によれば、扉のヒンジ側端部の内側に設けられた扉角度ガイドに水平方向及び上下方向に異なる位置に複数の角度孔を設けるとともに、盤本体の枠体に角度孔と上下方向同一ピッチで複数設けられたストッパ取付孔にストッパを取り付けており、ストッパの取付高さを変更することにより扉の開き角度を容易に変更することができる。又、リンク機構がないので、リンクの収納スペースが不要となる。さらに、盤本体の天井面への取付作業がないので、取付作業が容易となり、構成が簡単になるので、盤本体の前面側での部品配置も容易となる。
【００１２】
請求項２によれば、ストッパをヒンジ部側部材に取り付けたので、扉ストッパ構造とヒンジ部とが組合わさった構造となり、全体的な構造が簡単になる。
【発明を実施するための最良の形態】
【００１３】
実施最良形態１
以下、この発明を実施するための最良の形態を図面とともに説明する。図１は
この発明の実施最良形態１による配電盤の扉ストッパ構造の斜視図であり、図において、２２は盤本体、２７は盤本体２２の枠体、２３は図示しないヒンジ部を介して枠体２２に回動自在に取り付けられた扉であり、扉２３のヒンジ部側端部の内面側には円弧状の扉角度ガイド２４が上下方向に設けられる。この扉角度ガイド２４の周壁には水平方向角度が同一の上下一対の角度孔２４ａが設けられ、さらに水平方向角度が異なるとともに高さがピッチｈだけ下方に位置する上下一対の角度孔２４ｂが設けられ、さらに水平方向角度が異なる高さがｈだけ下方の一対の角度孔２４ｃが設けられる。又、角度孔２４ａと同じ高さで水平方向角度が角度孔２４ａ〜２４ｃと異なる上下一対の角度孔２４ｄが設けられるとともに、角度孔２４ｂと同じ高さで水平方向角度が角度孔２４ａ〜２４ｄと異なる上下一対の角度孔２４ｅが設けられ、さらに角度孔２４ｃと同じ高さで水平方向角度が角度孔２４ａ〜２４ｅと異なる上下一対の角度孔２４ｆが設けられる。
【００１４】
又、枠体２７には、上下方向に一列にピッチｈで複数の雌ねじ状のストッパ取付孔２７ａを設ける。２５は取付ボルト２６により任意のストッパ取付孔２７ａに取り付けられたストッパであり、ストッパ２５は本体部２５ａの上下に鉤状に突出した爪部２５ｂを有し、爪部２５ａはばね作用を有する。
【００１５】
上記構成において、ストッパ２５を取付ボルト２６により選択されたストッパ取付孔２７ａに取り付ける。これにより、ストッパ２５の上下両端部に設けられた爪部２５ｂはばね作用により例えば角度孔２４ａに落ち込み、この位置で扉２３は係止される。ここで、扉２３の係止位置をもっと狭くしたい場合には、ボルト２６を取り外してストッパ２５を１ピッチ下位に移動させ、爪部２５ｂを角度孔２４ｂに落ち込ませる。これにより、扉２３の開き角度を小さくすることができる。爪部２５ｂを角度孔２４ｆに係合させた場合が扉２３の開き角度が最も小さくなる。なお、扉２３を回動すると、角度孔２４ａ〜２４ｆの何れかに落ち込んでいた爪部２５ｂはばね作用により自然に角度孔２４ａ〜２４ｆから脱出する。
【００１６】
実施最良形態１においては、水平方向及び上下方向に異なる位置に角度孔２４ａ〜２４ｆを設けた扉角度ガイド２４を扉２３側に設けるとともに、盤本体２２の枠体２７にストッパ２５を取り付け、ストッパ２５の爪部２５ａを角度孔２４ａ〜２４ｆの何れかに係合させるようにしており、角度孔２４ａ〜２４ｆの高さピッチとストッパ２５の取付高さピッチとは一致しているので、ストッパの取付高さを変更することにより扉２３の開き角度を変更することができ、扉２３の開き角度の変更が容易である。又、リンク機構がないので、リンク用スペースを必要としない。さらに、ストッパ２５を盤本体２２の天井面へ取り付ける必要がないので、配線を切断するおそれがなくなるとともに、取付作業の危険性が低下する。又、構成が簡単であるので、扉２３や盤本体２２の前面の部品配置が容易となる。なお、ヒンジ部は通常扉角度ガイド２４の内面側に設けられているので、扉角度ガイド２４の長さＬを長くすれば、ヒンジ部の補強材として機能する。
【００１７】
図２はストッパの変形例を示し、ストッパ２８は本体部２８ａの一端の上下に一対の突出したばね作用を有する爪部２８ｂが設けられ、本体部２８ａの他端には取付孔２８ｃを有する。この取付孔２８ｃに挿通した取付ボルト２６をストッパ取付孔２７ａに螺合することにより、ストッパ２８は枠体２７に取り付けられる。
【００１８】
実施最良形態２
図３は実施最良形態２による配電盤の扉ストッパ構造の斜視図を示し、盤本体２２の枠体２７の内部側には軸受取付部２９が取り付けられ、軸受取付部２９の盤本体２２外に突出した部分には扉角度ガイド２４の角度孔２４ａ〜２４ｆの上下ピッチと同じピッチで雌ねじ状のストッパ取付孔２９ａが複数設けられる。ストッパ２５はこのストッパ取付孔２９ａに取付ボルト２６により取り付ける。扉２３の扉角度ガイド２４の内側には扉２３側の軸受３０を取り付けるとともに、軸受取付部２９の先端にも盤本体２２側の軸受（図示せず）を取り付け、扉２３側の軸受３０と盤本体側の軸受にピン３１を挿通することにより、ヒンジ部を形成する。
【００１９】
実施最良形態２においても、ストッパ２５のストッパ取付孔２９ａに対する取付位置を上下することにより、扉２３の開き角度を変更することができる。その他の効果も実施最良形態１と同様である。又、ストッパ２５をヒンジ部側の部材である軸受取付部２９に取り付けたので、扉ストッパ構造とヒンジ部とが組合わさった構造となり、構造が簡単になる。
【図面の簡単な説明】
【００２０】
【図１】この発明の実施最良形態１による配電盤の扉ストッパ構造の斜視図である。
【図２】実施最良形態１によるストッパの変形例の斜視図である。
【図３】実施最良形態２による配電盤の扉ストッパ構造の斜視図である。
【図４】従来の配電盤の扉ストッパ構造の斜視図である。
【図５】他の従来の配電盤の扉ストッパ構造の平面図、そのＡ−Ａ線矢視図及び側面図である。
【符号の説明】
【００２１】
２２…盤本体
２３…扉
２４…扉角度ガイド
２４ａ〜２４ｆ…角度孔
２５，２８…ストッパ
２５ｂ，２８ｂ…爪部
２６…取付ボルト
２７…枠体
２７ａ，２９ａ…ストッパ取付孔
２９…軸受取付部
３０…軸受
３１…ピン
【図１】
2005354791.tif 000003
【図２】
2005354791.tif 000004
【図３】
2005354791.tif 000005
【図４】
2005354791.tif 000006
【図５】
2005354791.tif 000007